(57)【特許請求の範囲】
【請求項１】
平時は寝台のベース部分の一部として使用され、浸水時は人が乗った状態で床から浮上することができる、浮体を有した本体部と、
浸水時、前記寝台のベース部分を横向きに立てるのを補助するために、前記寝台のベース部分を起立方向に傾斜させる起立補助手段と、
を備えた、ベッド。
【請求項２】
前記起立補助手段として前記寝台のベース部分を傾斜させる方向に付勢するねじりバネを備えた、請求項１に記載のベッド。
【請求項３】
浸水時、前記寝台のベース部分を横向きに立てた状態において下側となる面にセットされるキャスターを備えた、請求項１又は２に記載のベッド。
【請求項４】
前記キャスターは、平時は前記寝台のベース部分に設けた格納部に格納されており、浸水時は前記寝台のベース部分を横向きに立てた状態において下側となる面から突出する位置まで移動させることが可能なスライド機構を備えた、請求項３に記載のベッド。
【請求項５】
前記キャスターは、前記寝台のベース部分の任意の位置に取り付け可能な固定手段を備えた、請求項３に記載のベッド。
【発明の詳細な説明】
【技術分野】
【０００１】
本発明は、ベッドに関するものである。
【０００２】
より詳しくは、本発明のベッドは、津波、高潮、台風、豪雨による河川の氾濫等によって洪水が発生し、家屋が浸水したときに、水没を避け、人が乗った状態で水面上に浮上することができる水害対策用ベッドに関するものである。
【背景技術】
【０００３】
平時は通常のベッドとして使用されるが、洪水が発生した時は、避難用ボートのように使用できるベッドが提案されている（特許文献１、２）。
【０００４】
特許文献１のボート兼用シェルタベッドは、少なくとも１名が横臥できるサイズのマット部材と、このマット部材の下面に設けた舟型形状の浮力部と、前記マット部材の幅方向両側に設けた脚部とを備える。前記浮力部は、たとえば発泡スチロール等の浮力の大きい発泡樹脂で構成される。
【０００５】
また、特許文献２の浮き袋付きベッドは、ベッド本体と、ベッド本体に装備された袋体を備える。この袋体に気体を吹き込むことによって浮き袋とし、全体の比重を下げることで、ベッド本体を水に浮かせることを可能とする。
【０００６】
ところで、国土交通省のウェブサイト「川の防災情報」の「浸水深と避難行動について」（https://www.river.go.jp/kawabou/reference/index05.html）によれば、一般家屋の場合、浸水深（洪水が発生した浸水域の地面から水面までの高さ）が０．５ｍ以下で「床下浸水」、０．５〜１．０ｍで「床上浸水」、１．０〜２．０ｍで「１階の軒下まで浸水」、２．０〜５．０ｍで「２階の軒下まで浸水」、５．０ｍ以上で「２階の屋根以上が浸水」と説明されている。このように、近年、地震による津波や地球温暖化による気候変動の影響を受けて水害が激甚化しており、寝室がある階の軒下まで浸水することが想定されている。
【０００７】
そのため、水害対策用ベッドを利用していたとしても、大規模水害の場合は屋内に閉じ込められて水没する危険がある。水害対策用ベッドには、屋外もしくは屋外に通じる安全で広い場所へ、迅速に避難できる構造が求められる。
【０００８】
この点、水害対策用ベッドは、例えば特許文献２のベッドがそうであるように、脚部にキャスターが取り付けられているものが多い。そのため、平時の使用状態の向きのままであれば、水平方向の移動はキャスターの作用によって少ない力で行える。
【０００９】
しかしながら、一般にベッドの幅は、シングルの場合で１００ｃｍ程度、セミダブルの場合で１２０ｃｍ程度であり、これらのサイズは水害対策用ベッドにおいても同様に設計されている。これに対し、寝室の出入口のドアの幅は、９０ｃｍ以下である家屋が殆どである。
【００１０】
つまり、例えば特許文献１、２のベッドを使用している一人暮らしの人が、水害の発生時、寝室内に閉じ込められる危険を回避し、寝室の外で浮上する必要があると判断したとしても、ベッドの幅がドアの幅よりも大きいために、平時の使用状態の向きのままではドアを通過することができない。
【００１１】
そのため、従来は、寝室の外で浮上する必要があると判断した場合は、まず寝室内で水害対策用ベッドを横向きに立てた状態とし、その状態で床面を摺るようにしてドアの方向に押し進め、ドアを通過させる必要があった。
【００１２】
しかし、上述のように、ベッドを１人で横向きに立てた状態とすることや、その状態で床面を摺るようにして移動させるのは、かなりの力を要する作業となる。水害発生時の緊急性、切迫した状況を鑑みると、特に高齢者にとっては実施困難な作業である。また、仮に実施できても、相当の時間がかかり、その間に浸水が進んで危険となる。
【先行技術文献】
【特許文献】
【００１３】
【特許文献１】特開２００７−２２２３２０号公報
【特許文献２】特開２０１４−１１３４３９号公報
【発明の概要】
【発明が解決しようとする課題】
【００１４】
本発明が解決しようとする課題は、従来の水害対策用ベッドは、ドアを通過させるために、ベッドを横向きに立てた状態とすることや、その状態で床の上をスムーズに移動させることが困難であった点である。
【課題を解決するための手段】
【００１５】
本発明は、浸水時（以下の説明では、津波、高潮、台風、豪雨による河川の氾濫等、原因の如何を問わず、洪水が発生して、家屋、病院、宿泊施設等、人が就寝している建物が浸水する時を、単に「浸水時」という。）、少ない力でも簡単にベッドを横向きに立てることができると共に、横向きに立てた状態のままスムーズに移動させて、速やかにドアを通過することが可能な水害対策用ベッドを提供することを目的とし、以下に列記する構成を主要な特徴点としている。
【００１６】
第１発明は、
平時は寝台のベース部分の一部として使用され、浸水時は人が乗った状態で床から浮上することができる、浮体を有した本体部と、
浸水時、前記寝台のベース部分を横向きに立てるのを補助するために、前記寝台のベース部分を起立方向に傾斜させる起立補助手段と、
を備えている。
【００１７】
第２発明は、第１発明において、
前記起立補助手段として前記寝台のベース部分を傾斜させる方向に付勢するねじりバネを備えている。
【００１８】
第３発明は、第１又は第２発明において、
浸水時、前記寝台のベース部分を横向きに立てた状態において下側となる面にセットされるキャスターを備えている。
【００１９】
第４発明は、第３発明において、
前記キャスターは、平時は前記寝台のベース部分に設けた格納部に格納されており、浸水時は前記寝台のベース部分を横向きに立てた状態において下側となる面から突出する位置まで移動させることが可能なスライド機構を備えている。
【００２０】
第５発明は、第３発明において、
前記キャスターは、前記寝台のベース部分の任意の位置に取り付け可能な固定手段を備えている。
【００２１】
ここで、本明細書において「寝台のベース部分」とは、例えば、簀子、マット、敷布団などは除外したベッドの台座となる部分のことを言う。また、本明細書において「横向きに立てる」とは、平時の使用状態ではベッド（寝台のベース部分）の側面を構成している面を下向きにして床に接地させ、ベッドを起立させることを言う。なお、通常、例えばシングルサイズのベッドであれば、ベッドの長手方向における側面を下向きにしてベッドを立てる方が作業が容易となるので望ましいことは言うまでもないが、例えばキングサイズのベッドのように平面視略正方形状のベッドの場合は、寝室のドアの位置を考慮して、敢えてベッドの短手方向における側面を下向きにしてベッドを立てても構わない。そのような場合も本明細書にいう「横向きに立てる」に含まれる。
【発明の効果】
【００２２】
本発明のベッドは、寝台のベース部分の一部を構成する本体部が、十分な浮力を発生させる浮体を備えている。従って、本発明のベッドは、平時は通常のベッドとして使用できるが、浸水時は、本体部の作用のみで、水没を避けることができ、人が乗った状態で床から水面上に浮上し、避難用ボートと同様の機能を発揮できる。
【００２３】
また、本発明のベッドは、寝台のベース部分を横向きに立てるのを補助する起立補助手段を備えている。従って、本発明のベッドは、浸水時には、起立補助手段の作用によって寝台のベース部分を起立方向に傾斜させることができ、少ない力でも簡単にベッドを横向きに立てることができる。
【００２４】
加えて、本発明のベッドは、寝台のベース部分を横向きに立てた状態において下側となる面にセットされるキャスターを備えている。従って、本発明のベッドは、浸水時には、
キャスターの作用によって横向きに立てた状態のまま水平方向にスムーズに移動させることができ、速やかにドアを通過できる。
【図面の簡単な説明】
【００２５】
【図１】図１は、実施形態に係るベッドの分解斜視図で、（ａ）は敷布団及び枕を、（ｂ）は敷布団の下に敷くマットを、（ｃ）はマットの下に敷く簀子を、（ｄ）は寝台のベース部分を示す図である。
【図２】図２は、実施形態に係るベッドの平時における使用状態を示す図である。
【図３】図３は、後格納部の開口に設けた扉を示す図である。
【図４】図４は、実施形態に係るベッドにおいて起立補助手段として用いる外部取り付け型のねじりバネと、スライド式のキャスターを示す図で、（ａ）は平時においてキャスターが格納されている状態を、（ｂ）は浸水時においてキャスターがセットされている状態を示す図である。
【図５】図５は、実施形態に係るベッドを起立補助手段を用いて起立方向に傾斜させた状態を示すと共に、想像線で起立が完了した状態を示す図である。
【図６】図７は、実施形態に係るベッドを横向きに立てた状態でドアを通過させ、屋外に通じる安全な場所で本体部が浮上するまでの流れを説明する図である。
【図７】図７は、スライド式のキャスターを、図３の紙面右側から見た状態を示す図である。
【図８】図８は、スライド式のキャスターを、図３の紙面下側から見た状態を示す図で、（ａ）は平時においてキャスターが格納されている状態を、（ｂ）は浸水時においてキャスターをスライドさせた状態を示す図である。
【図９】図９は、実施形態に係るベッドの本体部を示す図で、（ａ）は平面図、（ｂ）は正面図、（ｃ）は右側面図である。
【図１０】図１０は、浸水時に設置するテントの一例を示す図である。
【図１１】図１１は、浸水時に設置するテントの他の例を示す図で、（ａ）はパイプからなるフレームを組み合わせた状態を、（ｂ）はフレームの上に屈折可能な簀子を被せた状態を示す図である。
【図１２】図１２は、第２実施形態に係るベッドの構成を示す図である。
【図１３】図１３は、第２実施形態に係るベッドにおいて起立補助手段として用いる内部取り付け型のねじりバネと、着脱式のキャスターを示す図である。
【図１４】図１４は、着脱式のキャスターの構成を示す図で、（ａ）は側面図、（ｂ）は正面部である。
【図１５】図１５は、着脱式のキャスターの使用例を説明する図で、（ａ）は平時においてキャスターを格納した状態を、（ｂ）は浸水時においてキャスターをベッドの前衝立部に取り付けた状態を示す図である。
【図１６】図１６は、本体部の他の例を示す図で、（ａ）は正面図、（ｂ）は底面図である。
【発明を実施するための最良の形態】
【００２６】
以下、図面を参照しながら、本発明を実施するための最良の形態について詳細に説明する。なお、以下の実施形態の説明は、本発明、その適用物、その用途の範囲を制限することを意図するものではない。
【００２７】
図１〜図２において、１は本実施例のベッドであり、寝台のベース部分１０の上に、就寝時の通気性を良好にするための簀子５、マット４、敷布団２、枕３を設置して構成される。ベッド１は平面視矩形状で、たとえば大人１名が就寝するのに適したサイズであり、図２に示すように、平時は心地よく睡眠できる快適なベッドとして使用できる。なお、６は掛布団である。
【００２８】
浮体３１を有した本体部３０は、平時は寝台のベース部分１０の一部（中央部分）として使用される（図１（ｄ）参照）。本体部３０は、その周囲が、前格納部１１、右側板部１２、左側板部１３、後格納部１４で囲まれており、平時は外部から見えることがなく、ベッド１のデザイン性を損なうことはない。１５は寝台のベース部分１０の下面の四隅に取り付けられた平時に使用する車輪である。
【００２９】
［第１実施例］
以下では、起立補助手段として、外部取り付け型のねじりバネ５１を用いる第１実施例について説明する。第１実施例では、キャスターは、スライド式のキャスター７１を用いる。
【００３０】
前格納部１１と後格納部１４には、浸水時、寝台のベース部分１０を横向きに立てる作業を補助し、寝台のベース部分１０を起立方向に回動させて傾斜させる外部取り付け型のねじりバネ５１（起立補助手段）と、寝台のベース部分１０を横向きに立てた状態において下側となる面にセットされるスライド式のキャスター７１が格納されている。
【００３１】
前格納部１１の外観は、図１（ｄ）には表れていないが、その構成は後格納部１４の構成と同じであり、後格納部１４とは左右対称の関係にある。図３は、前格納部１４の開口に設けた扉１４ａを示している。扉１４ａは蝶番１４ｄにより開閉可能になっており、浸水時は、扉１４ａを開いた状態とする。
【００３２】
ねじりバネ５１は、図４に示すように、コイル部５１ａの中心に螺子５２を通し、この螺子５２を後格納部１４の外板１４ｂにねじ込むことにより固定する。そして、固定アーム５１ｂの回転を螺子５３で押さえながら、作動アーム５１ｃを、固定アーム５１ｂとの間のねじり角度を十分に小さくした状態で、螺子５４に係止させる。
【００３３】
浸水時は、作動アーム５１ｃの先端を少し持ち上げて手前側にずらすことで螺子５４との係止が解除され、これによって固定アーム５１ｂに対し、作動アーム５１ｂとの間のねじり角度が元の状態まで復元しようとする力が働く。このねじりバネ５１による付勢によって寝台のベース部分１０は、図５に実線で示したように、起立方向に回動し、床面とのなす角度が４５度以上となるまで傾斜した状態となる。その後、想像線で示した位置まで起立させることは、例えば高齢者の弱い力でも容易に行うことができるので、本発明のベッド１は、浸水時には極めて少ない力で簡単に横向きに立てることが可能となる。なお、起立が完了した後、ねじりバネ５１は、作動アーム５１ｂを螺子５４に係止させて元どおりの状態に戻しても良いし、コイル部５１ａを螺子５２から抜き取って寝台のベース部分１０から取り外しても良い。
【００３４】
キャスター７１は、図４に示すように、長孔７２につまみ螺子７３ａで固定することにより長孔７２の長さの分だけ自在にスライドさせることが可能な構成である。浸水時は、上述した作動アーム５１ｃの解除を行う前に、キャスター７１を横方向にスライドさせ、後格納部１４の開口から突出させた状態にセットする。これにより、作動アーム５１ｃを解除して寝台のベース部分１０を起立させた状態において下側となる面には、図５に示すとおり２つの車輪７１ａを有したキャスター７１が存在することになる。従って、本発明のベッド１は、横向きに立てた状態のまま水平方向の移動が容易に行える。
【００３５】
その後の手順は図５に示すとおりである。寝台のベース部分１０の平時の高さは例えば４０〜５０ｃｍ程度であるため、横向きに立てた状態で移動させれば、９０ｃｍ幅のドアは余裕をもって通過できる（図５（ａ）〜（ｂ））。ドアを通過した後は、屋外もしくは屋外に通じている広い安全な場所で、寝台のベース部分１０を平時の使用状態の向きに戻す。その後浸水が進んでくると、浮体３１で構成された本体部３０のみが寝台のベース部分１０から分離して浮上するので、この本体部３０を緊急避難用ボートのように使用するのである（図５（ｃ）〜（ｄ））。
【００３６】
本体部３０を構成する浮体３１は、浸水時、本体部３０に十分な浮力が得られるように例えば発泡スチロール等の発泡樹脂材で構成することができるが、本実施形態では、最も好適な発泡体としてスタイロフォーム（登録商標）を使用している。
【００３７】
スタイロフォーム（登録商標）はザ・ダウ・ケミカル・カンパニーの商標名であるが、押出法ポリスチレンフォーム（XPS：Extruded Polystyrene）であり、完全に独立した無数の空洞を有する発泡体で、１立方メートルあたりの重量が２０〜３０Ｋｇ程度の軽量でありながら適度な硬さを有している。耐水性に優れる上、熱伝導率も低いので、救助隊が到着するまで水上で待つ間、寒さをしのぐのにも好適である。また、スタイロフォーム（登録商標）は難燃性の点でも優れており、火災発生時に焼失もしくは溶解するおそれもない。
【００３８】
キャスター７１は、平時は寝台のベース部分１０に設けた格納部（前格納部１１、後格納部１４）に格納されており、浸水時は寝台のベース部分１０を横向きに立てた状態において下側となる面から突出する位置まで移動させることが可能なスライド機構を備えている。キャスター７１のスライド機構は図７〜図８に示すとおりの構造である。
【００３９】
キャスター７１は、平時は後格納部１４を構成する外板１４ｂと内板１４ｃの間の空間に格納されている。車輪７１ａを軸支する軸７７は、横断面コの字状の移動台座７４に取り付けられており、台座７４の開放している部分が横断面ロの字状の固定台座７５と摺動可能に係合している。７３ｂはつまみ螺子７３ａに対応するボルトである。このつまみ螺子７３ａを回転させて緩めるとキャスター７１はスライド可能な状態となる。浸水時は、キャスター７１を外側に突出させた状態とし、その位置でつまみ螺子７３ａを締め付けると、キャスター７１はその位置で外板１４ｂに対して固定される。７６は固定台座７５を内板１４ｃに対して固定するボルトである。
【００４０】
図９に示すように、本体部３０は、凹状部３２を備えている。浸水時、避難者は凹状部３２内で休息し、睡眠を取ることができる。また、図示していないが、凹状部３２の壁面に手摺りを取り付け、揺れの恐怖を緩和できるようにしても良い。３３は浮体３１で構成される本体部３０の角部の強度を高めるために取り付けたフレームである。
【００４１】
また、凹状部３２には、少なくとも水、食料を含む避難用品を収容するケースを設置することが望ましい。避難者は、水や食料を補給しながら、救助隊の到着を待つことができる。なお、ケースには、必要に応じて風邪薬、絆創膏、防寒具、下着、靴下、手袋、ラジオ、救命道具、懐中電灯等を格納しても良い。
【００４２】
また、浸水時は、図１０に示すように、本体部３０の浮体３１の上面に、風雨をしのいでプライバシーを確保するためのテント８０を設置しても良い。テント８０は、２本のポール８１ａ，８１ｂを備え、各ポールの先端を浮体３１の上面の四隅に設けた差込部に挿入して設営したもので、生地８２の一箇所に出入口８３が設けられている。なお、８４は浸水時、救助者に対して光によって居場所を報知するためのライトである。
【００４３】
他の例として、図１１に示すように、ジョイント式のパイプ９１〜９４で骨組みを組み立て、その上に屈折可能な簀子９５を載置するテント９０を用いても良い。簀子９５には隙間があるため、日差しが強い時は風通しが良く、日光の直射を避けることができる。雨の時は簀子９５の上にシートを被せれば良い。この実施例の場合、パイプ９１〜９４は、平時は小さなサイズに分解できるので、場所を取らず省スペース化が図れる。
【００４４】
［第２実施例］
以下では、起立補助手段として、内部取り付け型のねじりバネ５１０を用いる第２実施例について説明する。第２実施例では、キャスターは、着脱式のキャスター７１０を用いる。
【００４５】
第２実施例では、前格納部１１、後格納部１４に代えて、板状の部材である前衝立部１１０、後衝立部１４０を設けている（図１２）。また、右側板部１２、左側板部１３は存在せず、代わりにコの字状のフレーム１６、１７、１８、１９が螺子によって接合されている。第２実施例では、本体部３０の側方を囲む筐体はなく、本体部３０はフレーム１６〜１９の内側に載置し、容易に離脱しないようにロープを用いてフレーム１６〜１９に対して固定する。これが第２実施例における寝台のベース部分１０となる。
【００４６】
浸水時、寝台のベース部分１０を横向きに立てる作業を補助し、寝台のベース部分１０を起立方向に回動させて傾斜させるねじりバネ５１０（起立補助手段）は、内部取り付け型であり、前衝立部１１０の内側に取り付けられている。後衝立部１４０の裏面側は、図１２には表れていないが、その構成は前衝立部１１０の裏面側の構成と同じであり、左右対称の関係にある。
【００４７】
ねじりバネ５１０は、図１３に示すように、コイル部５１ａの中心に螺子５２を通し、螺子５２のナットを締めることで前衝立部１１０に固定する。そして、固定アーム５１ｂの回転を螺子５３で押さえながら、作動アーム５１ｃを、固定アーム５１ｂとの間のねじり角度を十分に小さくした状態で、フレーム１６の上に係止させる。作動アーム５１ｃの先端には引き抜くことが可能なレバー５１ｄが設けられており、レバー５１は載置した本体部３０の下から外側に露出している。
【００４８】
浸水時は、作動アーム５１ｃの先端のレバー５１ｄを引き抜くことでフレーム１６との係止が解除され、これによって固定アーム５１ｂに対し、作動アーム５１ｂとの間のねじり角度が元の状態まで復元しようとする力が働く。このねじりバネ５１０による付勢によって寝台のベース部分１０は、起立方向に回動して傾斜した状態となる。従って、第２実施例のベッド１も浸水時は寝台のベース部分１０を極めて少ない力で簡単に横向きに立てることができる。また、第２実施例は、起立補助手段として用いるねじりバネ５１０が、内部取り付け型で外側から見えることがないので、平時における外観も良好となる。
【００４９】
キャスター７１０は、前記寝台のベース部分の一部を構成している、たとえば前衝立部１１０や後衝立部１４０の任意の位置に取り付け可能な固定手段を備えた構成である。浸水時は、上述した作動アーム５１ｃの解除を行う前に、キャスター７１０を寝台のベース部分１０を横向きに立てた状態において下側となる面側に取り付けてセットされる（図１３）。これにより、作動アーム５１ｃを解除して寝台のベース部分１０を起立させた状態において下側となる面には２つの車輪７１ａを有したキャスター７１０が存在することになる。従って、第２実施例のベッド１も、横向きに立てた状態のまま水平方向の移動が容易に行える。
【００５０】
第２実施例では、横向きに立てた状態で水平方向に移動させてドアを通過した後は、屋外もしくは屋外に通じている広い安全な場所で、寝台のベース部分１０を平時の使用状態の向きに戻すと共に、フレーム１６〜１９に対して本体部３０を固定していたロープを解いておく。その後、浸水が進んでくると、フレーム１６〜１９から本体部３０が分離して浮上するのである。
【００５１】
キャスター７１０の固定手段は、図１４〜図１５に示すとおりの構造である。車輪７１ａを軸支する台座７９に対し長板７７がボルトで固定されている。長板７７から短板７８が手前側に突出するように延設されており、長板７７と短板７８は略平行で、その間隔は前衝立部１１０の厚みよりも若干広い間隔となっている。短板７８の先端部の螺孔には固定螺子７８ａが取り付けられており、この固定螺子７８ａを締め付け方向に回転させることで、キャスター７１０は、後衝立部１４０の任意の位置に取り付けることができる。キャスター７１０は、平時は後衝立部１４０に設けた格納部１４１に置かれており、浸水時は格納部１４１から取り出して使用する。
【００５２】
本発明は、前記の実施例に限るものではなく、各請求項に記載の技術的思想の範疇であれば、適宜実施の形態を変更しても良いことは言うまでもない。
【００５３】
例えば、上記実施例では、浮体３１は発泡樹脂材で構成する例を示したが、これに限らず、内部が空洞の樹脂材で構成された浮力室としても良い。また、浮力室の内部にポリウレタンフォーム、発泡スチロール、ポリエチレンフォーム、ポリプロピレンフォーム等の発泡材を充填した構成でも良い。
【００５４】
また、上記実施例では、ねじりバネ５１，５１０を用いる例を示したが、起立補助手段の構成はこれに限らない。例えば寝台のベース部分１０の底面に、片側の辺に沿って圧縮状態のスプリングを列設し、解除スイッチを押したときに圧縮状態が解除されてスプリングの作用で寝台のベース部分１０を傾斜させる構成などでも良い。
【００５５】
また、上記実施例では、直方体の形状の本体部３０を開示したが、本体部３０の構成はこれに限らない。例えば、図１６に示すように浮体３１０を備えた本体部３００に対し、ピン１２０によって回動可能に連結され、浸水時、本体部３００の左右側方に展開するアウトリガー１００，１０１を備えた構成でも良い。
【００５６】
この場合、アウトリガー１００，１０１は、本体部３００と同様、スタイロフォーム（登録商標）等の高い浮力が得られる浮体１３０で構成する。このような構成を採用した場合は、浸水時、アウトリガー１００，１０１が本体部３００の側方に位置するので、濁流が発生している状況でもローリングに対する安定性が高まり、本体部３００が転覆するリスクを低減できる。
【符号の説明】
【００５７】
１  ベッド
１０  寝台のベース部分
３０，３００  本体部
３１，３１０  浮体
５１，５１０  ねじりバネ（起立補助手段）
７１，７１０  キャスター
【要約】
【課題】少ない力でも簡単にベッドを横向きに立てることができると共に、横向きに立てた状態のままスムーズに移動させて、速やかにドアを通過することが可能な水害対策用ベッドを提供する。
【解決手段】平時は寝台のベース部分１０の一部として使用され、浸水時は人が乗った状態で床から浮上することができる、浮体３１を有した本体部３０と、浸水時、前記寝台のベース部分１０を横向きに立てるのを補助するために、前記寝台のベース部分１０を起立方向に傾斜させる起立補助手段（ねじりバネ５１）を備えたベッド１である。浸水時に、寝台のベース部分１０を横向きに立てた状態において下側となる面にセットされるキャスター７１を備えている。
【選択図】図４【図１】
0006983281.tif 000002
【図２】
0006983281.tif 000003
【図３】
0006983281.tif 000004
【図４】
0006983281.tif 000005
【図５】
0006983281.tif 000006
【図６】
0006983281.tif 000007
【図７】
0006983281.tif 000008
【図８】
0006983281.tif 000009
【図９】
0006983281.tif 000010
【図１０】
0006983281.tif 000011
【図１１】
0006983281.tif 000012
【図１２】
0006983281.tif 000013
【図１３】
0006983281.tif 000014
【図１４】
0006983281.tif 000015
【図１５】
0006983281.tif 000016
【図１６】
0006983281.tif 000017